(57)【要約】【課題】  発光素子において、電力効率に優れた特性を得ることは、照明分野などへの応用に重要な要因である。【解決手段】第１，２導電型の半導体層22,23と、該第１，２導電型の半導体層の同一面側に各々設けられた第１，２電極30,40と、該第２電極40が設けられ該第１，２導電型の半導体層を含む発光構造25と、を有し、前記第１導電型半導体層22の露出表面22sに設けられた第１電極30が、透光性の第１層31と、反射性の第２層32と、を少なくとも有し、前記発光構造25と前記第１電極10を横断する素子100の断面において、前記第１層31が、前記第２層32の両側から突出した突出部(32a,e)を有する半導体発光素子。【選択図】  図３Ａ
2008034822.tif 000002
【特許請求の範囲】
【請求項１】
第１，２導電型の半導体層と、該第１，２導電型の半導体層の同一面側に各々設けられた第１，２電極と、該第２電極が設けられ該第１，２導電型の半導体層を含む発光構造と、を有し、
前記第１導電型半導体層の露出表面に設けられた第１電極が、透光性の第１層と、反射性の第２層と、を少なくとも有し、
前記発光構造と前記第１電極を横断する素子の断面において、前記第１層が、前記第２層の両側から突出した突出部を有する半導体発光素子。
【請求項２】
前記第１電極の少なくとも一部が、前記第１導電型半導体層露出領域で前記発光構造内部へ凹んだ凹欠部に配置され、前記突出部が、該発光構造の凹欠部から開口した方向に設けられている請求項１記載の半導体発光素子。
【請求項３】
前記凹欠部が該第１電極の外周長の半分以上を囲む請求項２記載の半導体発光素子。
【請求項４】
前記第１層の突出部が、前記第２層の外周の略全域に設けられている請求項１〜３のいずれか１項に記載の半導体発光素子。
【請求項５】
前記第１電極が外部接続部と、該外部接続部から延伸する延伸部と、を有し、該外部接続部及び延伸部に、前記第１，２層がそれぞれ設けられている請求項１〜４のいずれか１項に記載の半導体発光素子。
【請求項６】
前記第１電極が、前記電極形成面側において、前記発光構造部に挟まれている請求項１〜５のいずれか１項に記載の半導体発光素子。
【請求項７】
前記発光構造部が、第１電極の外周の略全域を囲んで設けられている請求項６記載の半導体発光素子。
【請求項８】
前記両側の突出部が、一方が発光構造部側であり、他方が素子外側である請求項１記載の半導体発光素子。
【発明の詳細な説明】
【技術分野】
【０００１】
本発明は、半導体の発光素子及びそれを用いた発光装置に関し、特に発光素子の電極構造に関する。
【背景技術】
【０００２】
窒化物半導体を用いた発光素子は、そのワイドバンドギャップ特性から、近紫外から赤色域で発光が得られるため、種々の研究が成されている。窒化物半導体発光素子の一般的な基本構造は、基板上に、ｎ型窒化物半導体、活性層、ｐ型窒化物半導体を積層した構造で、ｐ型層、一部露出されたｎ型層に各電極が設けられた構造となり、電極構造を含む発光素子構造について研究されている。特に、その高出力化を目指して、様々な発光素子構造、並びに電極構造が提案されている。
【０００３】
【特許文献１】特開２００３−０６０２３６号公報
【特許文献２】特開２００５−２２９０８５号公報
【特許文献３】特開２００３−１３３５９０号公報
【特許文献４】特開２００４−１７９３４７号公報
【特許文献５】特開２００５−３１７９３１号公報
【特許文献６】特開２００１−１０２６３１号公報
【特許文献７】特開２００４−１２８３２１号公報
【特許文献８】特開２００２−０１６２８２号公報
【特許文献９】特開２００２−２２１５２９号公報
【特許文献１０】特開平９−２３２６３２号公報  段落５１〜６３  図７〜９
【発明の開示】
【発明が解決しようとする課題】
【０００４】
従来の提案として、ｎ型層に設けられるｎ電極について、ITOなどの透明電極を用いること（特許文献１，２）、2層構造として、上層に金属層・反射層を一部（特許文献３，１０）、全部（特許文献４，５）、重ねて設ける構造がある。
別の提案として、活性層からの発光に対して、ｎ電極の高さを低くして遮光効果を抑えること（特許文献６）、ｎ電極の側面を傾斜させて反射効果を高めること（特許文献７）などがある。また、発光構造内に凹凸構造を設けて、光取り出し効率を高めることも提案されている（特許文献８，９）。
【０００５】
しかしながら、前者の提案では、ｎ電極に透明導電膜を用いる際に、電流広がり・均一性、ひいては素子の高抵抗化・電圧値（Vf）上昇が問題なり、後者の提案では、電極材料による光の吸収・損失、形状のバラツキ・量産性が問題となる。また、電力効率（ｌｍ／Ｗ）の向上は、発光素子、特に窒化物半導体の発光素子において、照明分野など、高出力用途において重要な要求事項となるが、これらの問題は電力効率を低下させ、このような分野、用途への応用の妨げとなる。
【０００６】
本発明の課題は、発光構造に隣接して設けられる電極に透光性電極を用いて、素子の低抵抗化、高出力化、高電力効率化（ｌｍ／Ｗ）、高い量産性・低コスト化、の少なくともいずれか、好ましくはその多くを実現する発光素子、及び発光装置を提供することにある。
【課題を解決するための手段】
【０００７】
第１，２導電型の半導体層と、第１，２導電型の半導体層の同一面側に各々設けられた第１，２電極と、第２電極が設けられ第１，２導電型の半導体層を含む発光構造と、を有し、第１導電型半導体層の露出表面に設けられた第１電極が、透光性の第１層と、反射性の第２層と、を少なくとも有し、発光構造と前記第１電極を横断する素子の断面において、第１層が、第２層の両側から突出した突出部を有する。
また、第１電極の少なくとも一部が、第１導電型半導体層露出領域で発光構造内部へ凹んだ凹欠部に配置され、突出部が、発光構造の凹欠部から開口した方向に設けられている。
また、凹欠部が第１電極の外周長の半分以上を囲む。
また、第１層の突出部が、第２層の外周の略全域に設けられている。
また、第１電極が外部接続部と、外部接続部から延伸する延伸部と、を有し、外部接続部及び延伸部に、第１，２層がそれぞれ設けられている。
また、第１電極が、電極形成面側において、発光構造部に挟まれている。
また、発光構造部が、第１電極の外周の略全域を囲んで設けられている。
また、両側の突出部が、一方が発光構造部側であり、他方が素子外側である。
【発明の効果】
【０００８】
本発明の発光素子では、第１電極の上層側と下層側が、それぞれの光学的特性、光透過性と反射性、を有し、隣接する発光構造と好適な配置、構造となっていることで、光出力、電力効率の向上、素子抵抗、Ｖｆの低減、量産性、など、の効果が得られる。
また、このような発光素子を用いた発光装置では、電気・光特性に優れたものが得られる。
【発明を実施するための最良の形態】
【０００９】
以下、発明の実施の形態について適宜図面を参照して説明する。ただし、以下に説明する発光素子・装置は、本発明の技術思想を具体化するためのものであって、本発明を以下のものに特定しない。特に、以下に記載されている構成部品の寸法、材質、形状、その相対的配置等は特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに、本発明を構成する各要素は、複数の要素を同一の部材で構成して一の部材で複数の要素を兼用する態様としてもよいし、逆に一の部材の機能を複数の部材で分担して実現することもできる。
【００１０】
（実施の形態１）
図１を参照して、実施の形態１に係るＬＥＤ100の具体例の構成について説明する。ここで、図１Ａは、実施の形態１に係るＬＥＤを電極配置面側からみた平面を、図１Ｂは、図１ＡのＡ−Ａ線における断面を説明する概略図である。
図１の発光素子の構造は、基板10上に、バッファ層などの下地層21を介して、第１導電型層のｎ型窒化物半導体層22、発光部となる活性層23、第２導電型層のｐ型窒化物半導体層24が積層された積層構造からなる半導体構造20を有し、ｎ型層22の一部が露出されてｎ電極（第１電極）30が設けられ、第1，2導電型層（とその間の活性層）が設けられた発光構造25の表面25tであるｐ型層24s上にｐ電極（第２電極）40が設けられた素子構造を有している。
【００１１】
更に図１に係る具体例では、第１電極30は、電極形成面内で、矩形状の素子構造26、発光構造25において、その角部付近に発光構造を内側に凹ませるように第１導電型露出領域22sが設けられた凹欠部22aの電極形成領域22eに設けられ、円形状の電極の外周長さの半分以上を囲むような内壁面25sを備える発光構造25が並設されている。更に、発光構造と第１電極30との間に複数の突起部60が、発光構造よりも長く電極の外周長を囲むように設けられている。すなわち、ｎ電極が、円弧状に発光構造に湾入した凹欠部22aに設けられ、その外縁を突起部60がその電極の外周長の半分以上、ここでは約２５７°の円弧状、で、更にその外側の外縁を、突起部領域より短い外周長さで、開口部22b幅・角度の大きな発光構造25（側面25s）が電極30の外周長の半分以上、ここでは約２３５°の円弧状、でそれぞれ囲むように並設されている。
【００１２】
また、第１電極30は、下層側に設けられた透光性の透明導電膜の第１層31と、その上の上層側に、反射性の金属膜の第２層32が積層された構造で、第２電極40は、発光構造の上25tのほぼ全面に設けられた透光性の透明導電膜の電極41と、その上に設けられたパッド電極42を有する構造となっている。図１に係る後述の具体例では、ｎ側電極30及びｐ側電極40の下層側・オーミック電極と、上層側・外部接続電極と、しては、同一構造として、それぞれ、ITOと、Rh／Pt／Auをこの順に積層した膜と、で構成する。上層側は、多層膜で構成されるこの例では、最下層、すなわち透光性の下層との界面側、に、反射性の層として、Rhを設け、その上に、バリア層としてのPt層、外部接続層としてのAu層が順に積層された構造となっている。この時、第１電極30の下層側の第１層31が上層側より断面で幅広、平面で大面積に設けられ、上層側の第２層32が断面で幅が狭く、平面で小面積に設けられ、加えて、上層は下層の一部のみに設けられ、上層の外周全周を下層の突出部31pが設けられている。
【００１３】
このように、発光構造25（その側壁25s）側と、そこから開口された開口部22b側と、にそれぞれ突出部31pが設けられることで、図３Ａに示すように第２層底面側の光を好適に外側に排出でき、特に開口部22b側の突出部により好適に発光構造の対向側、好ましくは素子の外部側に光が取り出される。また、下層側、特に第１導電型層22のオーミック電極、が幅広、大面積であることで、第１導電型層22との接触面積・幅を大きくでき、接触抵抗、ひいては素子抵抗、素子100の駆動電圧Ｖｆを低減させることができる。他方、そのような幅広、大面積の下層が、透光性を有することで、第１電極下の半導体層を伝播し、その伝播層と電極との界面において、若しくは隣接する発光構造側面25sから出射光に対して、電極による光の吸収・損失を低減でき、光出力、ひいては素子の電力効率を向上させることができる。
【００１４】
また、上層及び下層の発光構造側の端部と第１電極30に隣接する発光構造側面25sとの距離が、下層側より上層側が長いことで、発光構造からの出射光が第２層に到達する量を低減でき、特に図１に示すように、第２層は第１層に比して厚膜であるとその効果が大きくなり好ましく、さらに第１層高さが発光構造の発光部（活性層）より低い場合にその出射光が多いため好ましい。更に、第１電極に並設される発光構造部が、第１電極の外周を囲む領域が大きくなると、電極形成領域、すなわち上記凹欠部内で発光構造側面25sからの出射光が領域内に閉じ込められる傾向にあり、それを回避でき好ましい。
【００１５】
また、このような光閉じ込め効果の高い発光構造形状を備えた発光素子では、発光構造と第１電極との間に、光学的機能を備えた構造物の突起部があると、上述した出射光が第２層に到達する量を低減でき、すなわち、突起部による光学的な機能、例えば反射・散乱機能、により閉じ込め効果を低減でき好ましく、特に外周領域が大きい場合、更には上記外周長の半分以上の凹欠部の場合に好ましい。また、図１のように、基板10にも、上記半導体構造20の突起部60同様な光学的機能する凹凸構造10tを備えると良い。
以下、本実施形態及び本発明における各構成に詳述するが、本実施形態に限らず、他の実施形態への適用、並びに、各構成を適宜組み合わせる応用も可能である。
【００１６】
〔半導体構造・素子構造・発光構造〕
発光素子構造は、図１などに示すように、基板上に半導体構造20、特に各層が積層された積層構造が設けられてなる。その他、基板を除去するなど、基板の無い構造、さらに下記下地層など素子能動領域外の層の無い構造、基板中に導電型領域を設けるなどして基板を含む素子領域・構造でも良い。発光構造25は、図１の例では、第１，２導電型層22, 24とその間の活性層23が設けられた構造である。また、半導体構造20による発光領域が設けられた構造であり、更に同一面側に第１，２電極30, 40を設ける電極構造である。この電極構造では、基板面内の素子領域26内に第１電極30若しくは第１導電型層露出領域22sと、発光構造25の領域とが少なくとも配置された構造となる。発光構造25としては、活性層若しくは発光層を第１，２導電型層の間に設ける構造の他、ｐ−ｎ接合部を発光部とする構造、ｐ−ｉ−ｎ構造、ｍｉｓ構造、などの発光構造でも良い。また、素子構造中、若しくは各導電型層中の一部に、半絶縁・絶縁性、ｉ型層、逆導電型の層・領域が設けられていても良く、例えば電流注入域を制御する半絶縁・絶縁性，ｉ型層などで形成される電流阻止層・領域、電極との接合用の逆導電型で形成される逆トンネル層などが設けられた構造でも良い。
【００１７】
発光構造25となる半導体、例えば後述の図１具体例の窒化物半導体は、基板の上に、ＭＯＶＰＥ等の成長方法により形成される。窒化物半導体の成長基板としては、サファイア（Ｃ面、Ａ面、Ｒ面）、スピネル（ＭｇＡｌ２Ｏ４）基板の他、Ｓｉ基板、ＳｉＣ、ＧａＮ等の半導体基板、等が挙げられ、成長方法としてはＭＯＶＰＥ、ＭＯＣＶＤの他に、ＨＶＰＥ、ＭＢＥ等が挙げられる。好ましくは、基板としては透光性基板であることで、上記第１，２電極が同一面に形成された素子構造で、基板側、電極形成面側で光取り出しに優れたものとできるためである。また窒化物半導体と屈折率の異なる異種材料の基板であると、電極形成面側発光の素子で好適な光取り出しとできる。光透過性の乏しい基板、例えば半導体基板、金属基板などは、基板と半導体との間に光反射層を設ける構造とすることもできる。また、窒化ガリウム系化合物半導体材料としては、一般式ＩｎｘＡｌｙＧａ１−ｘ−ｙＮ（０≦ｘ≦１、０≦ｙ≦１、０≦ｘ＋ｙ≦１）のものを、特に後述のようにその二元・三元混晶を好適に用いることができ、また、これに加えてIII族元素としてＢ、Ｖ族元素としてＮの一部をＰ、Ａｓで置換されたものを用いてもよい。また各導電型の窒化物半導体としては、ｎ型窒化物半導体はｎ型不純物として、Ｓｉ，Ｇｅ，Ｓｎ，Ｓ、Ｏ，Ｔｉ，Ｚｒ，ＣｄなどのＩＶ族元素又はＶＩ族元素等のいずれか１つ以上、好ましくはＳｉ，Ｇｅを添加し、ｐ型窒化物半導体層はｐ型不純物としてＭｇ，Ｚｎ，Ｂｅ，Ｍｎ，Ｃａ，Ｓｒ等を含有している。また、窒化物半導体以外に、ＧａＡｓ、ＧａＰ系化合物半導体、ＡｌＧａＡｓ、ＩｎＡｌＧａＰ、系化合物半導体などの他の半導体材料にも適用することができる。
【００１８】
〔発光素子の具体例・製造例〕
本実施形態の図１の発光素子の具体的な半導体構造、積層構造20としては、基板10上に、下地層21として、膜厚２０nmのＧａＮのバッファ層と、膜厚１μｍのＧａＮ層、を
その上の第１導電型層22（ｎ型層）として、膜厚５μｍのＳｉ（４．５×１０１８／ｃｍ３）ドープＧａＮのｎ側コンタクト層と、コンタクト層と活性層との間の領域に、０．３μｍのＧａＮ層と、０．０３μｍのＳｉ（４．５×１０１８／ｃｍ３）ドープＧａＮ層と、５ｎｍのＧａＮ層と、４ｎｍのＧａＮ層と２ｎｍのＩｎ０．１Ｇａ０．９Ｎ層とを繰り返し交互に１０層ずつ積層された多層膜、を
ｎ型層の上の活性層23として、膜厚２５ｎｍのアンドープＧａＮの障壁層と、膜厚３ｎｍのＩｎ０．３Ｇａ０．７Ｎの井戸層とを繰り返し交互に６層ずつ積層し、最後に障壁層を
積層した多重量子井戸構造、を、
活性層の上の第２導電型層（ｐ型層）として、４ｎｍのＭｇ（５×１０１９／ｃｍ３）ドープのＡｌ０．１５Ｇａ０．８５Ｎ層と２．５ｎｍのＭｇ（５×１０１９／ｃｍ３）ドープＩｎ０．０３Ｇａ０．９７Ｎ層とを繰り返し５層ずつ交互に積層し、最後に上記ＡｌＧａＮ層を積層したｐ側多層膜層と、膜厚０．１２μｍのＭｇ（１×１０２０／ｃｍ３）ドープＧａＮのｐ側コンタクト層、を、
積層した構造（発光波長４６５ｎｍ，青色LED）を用いることができる。これらの層は、例えば、Ｃ面サファイア基板上にＭＯＶＰＥでｃ軸成長した窒化物半導体結晶で形成することができる。
【００１９】
第１導電型層露出領域22s、発光構造領域25、これらの領域の画定は、積層構造20の一部を所望形状にエッチングなどで、加工・除去することでなされる。具体例としては、上記構造例でｐ型層側から、フォトリソグラフィーにより所望形状のＳｉＯ２などのマスクを設けて、ｎ型コンタクト層の深さ方向一部までを、ＲＩＥなどのエッチングで除去して、第１電極形成領域22e（図１の例では凹欠部22a）及び突起部60、その他露出領域22sを形成する。露出された第１導電型層（ｎ型層中のｎ側コンタクト層）21sに第１電極30（ｎ電極）の第１層31、第２電極40（ｐ型層側）の透光性のオーミック電極41、として、ＩＴＯ（約１７０nm）を形成する。形成方法は、例えば半導体構造上にＩＴＯ成膜後に、フォトリソグラフィーによりレジストのマスクを形成し、一部をエッチング除去して、各導電型層上に所望形状に形成する、該第１層31、透光性電極41の一部に第２層32・パッド電極42として、Ｒｈ（約１００nm）／Ｐｔ（約２００nm）／Ａｕ（約５００nm）をこの順に積層した構造の膜を設ける。例えばフォトリソグラフィーによりマスク形成後に、上記積層膜を形成して、リフトオフして所望形状に形成する。このように、第１，２電極30, 40を同時に形成、具体的には同一の工程で各電極の各層を形成、することが製造工数低減でき好ましい。しかし、別々の工程、別々の材料、積層構造で形成しても良い。また、この例では、第２電極と同様に、第１電極の第１層31はオーミック部、第２層32は外部接続部33を各々供する電極となる。
【００２０】
図１の例では点線で示すように、各電極の外部接続部33, 43を露出させて、その他の領域を被覆する保護膜50、例えばＳｉＯ２、を設ける。また、図１の例では、更に、素子領域26の外縁を、基板が露出までエッチングで除去した基板露出領域10sを設けている。この露出領域10sは基板（ウエハ）分割の割溝として機能させることができ、好ましいが、特に設けなくても良い。最後に、この例では□３２０μｍ（３２０μｍ角）に基板10を分割して、ＬＥＤチップを得る。尚、この例では、ＬＥＤチップの基板露出幅約５μｍ、周縁部のｎ型層露出幅約１５μｍで、分割前のウエハではその２倍幅あるほぼ中央部を分割位置としてＬＥＤチップを得る。
【００２１】
以上の例で示す各構造の寸法としては、基板10の厚さとしては５０〜２００μｍ程度（上記例では約９０μｍ）、積層構造20では下地層21の厚さは１〜２μｍ程度、ｎ型半導体層22の厚さは１〜２μｍ程度、活性層・発光層23の厚さは５０〜１５０ｎｍ程度、ｐ型半導体層24の厚さは、１００〜３００ｎｍ程度、ｎ型露出層22s表面から発光構造の高さは１〜３μｍ（上記例では約１．５μｍ）程度、第１層（第１電極）・第２電極（下層）の厚さは０．０１〜０．５μｍ程度、第２層・パッド電極の厚さは０．３〜１．５μｍ程度、外部接続部・パッド電極の幅・径は５０〜１５０μｍ程度である。また、上記例では、第１層31は、第２層32の外周全域で突出部31pが約５μｍで設けられ、突起部60・凹凸構造10tは幅・径が約２〜３μｍ、間隔約１〜２μｍで設けられている。
【００２２】
〔電極・電極構造〕
発光素子100の電極は、上記例で示すように、発光構造上25tに設けられる第２電極40と、発光構造25から離間した第１導電型層22s上に設けられる第１電極30を有する。このように、基板10の同一面側、すなわち、半導体構造上に、各導電型の電極が設けられることが好ましい。また、基板10は、上記例の半導体層の成長用基板に限らず、研磨、LLO(Laser Lift Off)などで基板除去する形態、その基板除去された半導体構造が別の担体となる部材、基板に設けられる形態でも良い。上記発光素子の例では、電極形成面側を主発光側とする構造となっている。
【００２３】
従って、発光構造25上の第２電極40の下層側は、オーミック接触用として、また、上記図１の例のように上層側よりも幅広、大面積で形成され電流拡散導体として機能し、発光構造から光取り出しを良好とするため、透光性材料を用いると良い。その他に光透過性の構造、例えば遮光性部材で多孔質状、格子状の構造などを用いることができる。他方、第１電極30の下層側の第１層31は、主にオーミック接触用として機能する。これは、第１導電型半導体上に、露出領域22sと発光構造25が平面内に配置された構造では、上記拡散体としての下層側電極41と異なり、面内への電流拡散導体は、発光構造とそこから外側に延在する領域（露出領域）の第１導電型半導体領域が主にそれを担う構造となる。尚、第１電極30の配線部34は、これを補完する機能をなす。
【００２４】
発光素子100内の発光構造25は、図１，２に示すように１つの発光構造の一部、例えば図１のように角部若しくは隅部、図２のように長手方向の一方の端部、図６のように該一方端部と側面一部に、第１電極形成領域22eとして、発光構造内へ湾入するような凹欠部22aとして設けられても良く、図３Ｃ、４〜６に示すように、大面積の発光構造25、若しくは一部が第１電極形成領域22e・第１導電型層露出領域21sで一部分離されるような構造部25A〜Cを複数有する発光構造25、大面積化した素子構造である場合、若しくは図６のように長尺化した発光構造である場合には、各発光構造部に隣接して第１電極30が設けられる構造であっても良い。このような場合、各電極には、上述したようにその電流拡散を補うものとして、図示するように、第１導電型半導体、発光構造・第２電極下層側、の上に、配線となる延伸部34, 44が設けられる電極構造、互いに分離した複数の電極で構成される電極構造などにより、好ましい電流拡散がなされる。
【００２５】
第１電極30の第１層31、第２電極の接触層41は、基板上に第１，２電極が設けられ電極形成側を主発光側とする発光素子構造においては、透光性の膜が形成される。従来知られた電極を用いることができ、透光性の導電膜、窒化物半導体の電極（第１層）としては、Ｎｉ、Ｐｔ、Ｐｄ、Ｒｈ、Ｒｕ、Ｏｓ、Ｉｒ、Ｔｉ、Ｚｒ、Ｈｆ、Ｖ、Ｎｂ、Ｔａ、Ｃｏ、Ｆｅ、Ｍｎ、Ｍｏ、Ｃｒ、Ｗ、Ｌａ、Ｃｕ、Ａｇ、Ｙよりなる群から選択された少なくとも一種を含む金属、合金、その積層構造、さらには、それらとＩｎ、Ｓｎ、Ｇａ、Ｚｎ、Ｃｄ、Ｂｅ、Ｍｇなどによる金属化合物、例えば、導電性の酸化物、窒化物などがあり、以上を複合した複合物でも良い。導電性の金属酸化物（酸化物半導体）として、錫をドーピングした厚さ５ｎｍ〜１０μｍの酸化インジウム（Indium Tin Oxide; ITO）、ＺｎＯ（酸化亜鉛）、Ｉｎ２Ｏ３（酸化インジウム）、またはＳｎＯ２（酸化スズ）、これらの複合物、例えばＩＺＯ（Indium Zinc Oxide）があり、半導体材料、発光波長などにより適宜材料が選択される。また、上記導電性材料のドーピング材料として、半導体の構成元素、半導体のドーパントなどを用いることもできる。
【００２６】
上記具体例と同様に、第１，２電極30, 40の上層側に配される金属膜・反射性膜（第２層32、パッド電極、上層）も同一材料・構造、更には同一工程で設けることが好ましい。金属膜、反射性膜としては、従来しられた電極が用いられ、下記高反射率の金属を用いることができる。この第１，２電極の上層側の第２層・パッド電極は、多層膜構造、反射層／パッド部・電流拡散用の金属層の少なくとも２層、好ましくは図３Ａに示すように反射層32-1(42-1)／バリア層32-2(42-2)／パッド部用の金属層32-3(42-3)の少なくとも３層をこの順に有する構造である。反射層としては、素子の発光に対し光反射率の材料であれば良く、具体的にはＡｇ、Ａｌ、Ｒｈ等が挙げられ、Ｒｈは安定しているため好適に用いられ、また透光性膜（第１層、下層側）との接触側に配置される。バリア層はその上下層の拡散を防止、保護し、例えば、Ｗ，Ｍｏなどの高融点材料や、白金族元素、Ｎｉ，Ａｕ等、好ましくはＰｔ，Ｗ，Ｍｏ，Ｎｉを用いる。外部接続用の材料としてはＡｕ，Ａｌがある。各層の膜厚は、特に限定されないが、例えば０．０５〜５μｍで、各層は、反射層が他の上層層より薄膜で、その上層側の各層は、反射層より比較的厚膜に形成される。また、上記各層は、単一膜の他、多層膜で構成されても良く、図３Ｂに示すように、上記各層間及び第１層との間に保護層、密着層、例えばＴｉ，Ｎｉなど、を介在させ、４層（32-1〜32-4，42-1〜42-4）以上で構成しても良い。具体例としては、Ｒｈ／Ｐｔ／Ａｕ、Ａｌ／Ｐｔ／Ａｕ、Ｔｉ（薄膜密着層）／Ｒｈ（反射）／Ｐｔ（バリア）／Ａｕ（表層）、Ａｌ（反射）／Ｗ／Ｐｔ／Ａｕ（表層）、Ｎｉ（薄膜密着層）／Ａｇ（反射）／Ｎｉ／Ｔｉ／Ａｕ（をこの順に積層した構造などがある。
【００２７】
ここで、第２層・上層は、図１，２，３Ａに示すように、製造上、断面が第1層側を幅広とする台形状、発光構造側面25sに対して上面側が長距離となる傾斜した構造であると、光の反射作用により指向性・軸上光度を高め、発光構造上面25tでの開口幅が広がることができ、好ましい。一方で、断面矩形状、逆台形状、逆傾斜面構造であっても良い。また、第２層・上層が多層膜構造では、図３Ｂに示す積層構造、図３Ａに示す上層側が下層側、特にその側面を覆うように設けられる構造となる形態もある。また、通常上層底面側の反射層は、それより上面側の膜より反射率が高くなる。
【００２８】
第１層は、図３Ａに示すように、第２層からの突出部により、好適に第２層領域32cへの光を排除し、少なくとも発光構造部25に対向する側31eを有すること、好ましくはその発光構造部25側31a、すなわち発光構造部と第１電極断面の両側に設けることであり、さらに好ましくは第２層の外周略全域に設ける。尚、第２層に比して断面幅広、大面積で形成されることで、第1導電型層との接触面積を大きくして接触抵抗を低減し、素子の駆動電圧Ｖｆも低減させることができる。一方で、第２層から突出した突出部において、図３Ａに示すように、電極形成位置より下方の半導体領域で伝播する光を好適に素子外部へ、特に電極形成面側へ取り出すことができ、大面積、幅広の電極による光損失を低減できる。すなわち、図３Ａに示すように、隣接する発光構造側面と第２層側面との間が、図中矢印のように第２層からの突出部により、好適に第２層領域32cへの光を排除し、少なくとも発光構造部25に対向する側31eを有すること、好ましくはその発光構造部25側31a、すなわち発光構造部と第１電極断面の両側に設けることであり、さらに好ましくは第２層の外周略全域に設ける。特に上述のとおり、対向側31eは発光構造開口部22bであることが好ましく、更には素子外縁側が好ましい。
【００２９】
〔発光構造・電極構造〕
発光構造は、上述したように、発光素子領域中に、図１，２，６に示すように１つである形態、図３Ｃ，４〜６に示すように、一部が第１導電型層露出領域22s・第１電極形成領域22eで分離された発光構造部25A〜Cで構成されるものの何れでも良く、素子の面積、特性に応じて適宜選択される。発光構造25と第１電極10は図示するように1対1である必要はなく、第１電極30に挟まれた発光構造のように、２対１など他の関係でもよく、少なくとも発光構造部とそれに並設された第１電極30との組を有する構造であれば良い。
【００３０】
基本的な発光素子構造は、各断面図にて観られるように、発光構造25に並設されて第１電極30が設けられた構造部を有するものとなる。このため、このような並設領域では、本発明の電極構造とすることが好ましい。
第１電極30面積・幅を増加させると、電極端と発光構造部側面との距離が短くなるため、下層側の透光性の第１層が発光構造の近くに配置され、その上の上層側の第２層が遠くに配置された構造とすることが好ましい。特に、各図で示すように、第１電極の外縁としてそれを一部、若しくは全部を囲む発光構造が設けられる領域では、本発明の電極構造の効果が高まる。
【００３１】
第１電極30に対する隣接する発光構造25の領域としては、第１電極30の片側、例えば発光構造に隣接する側若しくは電極外周長の半分、及びそれ以上である場合には、本発明は効果的に機能するため好ましい。特に、一方が素子外部方向若しくは第１電極30の外部接続部・延伸方向に開口し、他方が発光構造25に対向して、閉塞された領域、図１，２の凹欠部であるような構造の場合に特に好ましい。また、図４に示すように発光構造に内部で囲まれた閉塞領域である場合には、狭い電極領域22eから好適に光取り出しがなされ好ましい。
具体的には、このような領域では、発光構造25の電極側の側面25sの少なくとも一部領域が、互いに対向する内壁を形成するような構造となり、該側面及び第１導電型層露出部から出射する光が閉じ込められ易い構造となっているため、本発明電極構造であることで、光閉じ込め、電極による光吸収・損失が低減できる構造できる。
【００３２】
第１層31と第２層32とは、図示するように、第１層31上の一部に設けられる構造であること、後述の実施形態２の例で示すように、更に第２層32の全外周に第１層31の突出部31pが設けられる構造であることが好ましい。例えば、第２層が第１層の外側へ延在する場合の密着性を考慮すると、第２層が第１層内に設けられることが好ましい。一方、第２層端部の一部領域が第１層端部とほぼ同一に重なるような形態であっても良く、具体的には上述した発光構造25側で部分的端部が一致する形態でも良い。
【００３３】
また、電極延伸部34(44)について、幅方向における突出長さを基準として、その第２層の２倍幅以下に端部の突出長さとすることで、電流拡散・均一性が好適なものとでき、好ましい。例えば、また、図４〜６の例のように、外部接続部33における突出部の突出幅と、延伸部34におけるそれとが異なる形態に適用できる。また、突出部の幅は、第２層の幅など電極の外部接続部、延伸部に応じて、変化させることもできる。
【００３４】
第１層の効果は、発光構造部上の第２電極よりも、そこから外側に延在する第１導電型半導体層の第１電極で高くできる。また、上層32（その領域32c）から発光構造部25側に突出した突出部31aよりも、その対向側32e、好適には電極に隣接する発光構造部25から開口している側、更には素子外周側で高くできる。後者の具体的な構造は、第１電極と発光構造部を切断する断面において、上層から両側に突出した突出部において、一方が発光構造部側で、他方がその対向側に配置される構造を有する。前者の効果向上は、発光構造部25上の第２電極では、下層の面積、その占有率が大きく、上層がそれに比して小さいため、上層42における遮光、光損失効果が低く、また、発光層23から種々の方向の光が上層に到達するため、その光を制御することが困難になるためである。他方、第１電極では、図に示すように、発光層23からの光の内、その電極形成領域の第１導電型半導体層に伝搬する光は、電極形成の露出面22eに対して高角度な成分が多くを占めるため、図中矢印に示すような下層による光制御作用を好適に発揮することができる。
【００３５】
また、後者における突出部の発光構造部側32aとその対向側32eの対比では、発光構造部側突出部32aから取り出された光は、上述したように、上層32が隣接する発光構造部から離間されて、光取り出し窓が大きくなる効果がある一方で、隣接する発光構造部への再入光、上層による光反射・吸収があるため、その突出部から取り出された光が、最終的に素子外部に取り出される割合が小さくなる。他方、その対向側では、そのような問題が低減されるため、下層による光制御、突出部による光取り出しが効果的に機能する。特に、その対向側32eが、電極30が隣接する発光構造部から開口された領域であると、その機能が高まり好ましく、更には、それが素子外周側であると、直接的に素子外部に取り出されるため最も好ましい。
【００３６】
〔突起部・光学的構造部〕
上記電極30と発光構造25との間に、図１，２，３Ｂに示すように、突起部60などの光学的な機能、例えば反射，散乱，回折，出射口の機能、を有する構造部を設けることが好ましい。これは、上述したように、発光構造側面25sからの出射光が第２層表面に到達する光量を低減でき、また突出部31aから発光構造25側への光を反射する作用があるためである。このような光学的な構造部としては、基板表面、例えば半導体層側表面の凹凸構造10t、半導体層出表面、その上の透光性膜、例えば保護膜50などによる凹凸構造など、光吸収・損失の低い、透光性の材料で形成されることが好ましい。また反射・散乱の機能に限れば金属性の突起部・凹凸部を設けることができる。電極・発光構造間領域では、狭い領域であるため、好ましくは半導体の積層構造から分離、具体的には発光構造から分離された半導体構造物により、設けられると精度良く、また高密度に形成でき、光学的機能を高められ、更に発光素子と同様な透光性の材料であるため、好ましい。具体的には、図示するように、発光構造25から分離溝25pが設けられて、分離される突起部60として設けることができる。図１，２，６の例（平面視）では発光構造から第１導電型層22上で分離された形状であるが、第１電極側の側面、凹欠部の近傍領域における発光構造に、孔（凹部）を設けることもできる。このような突起部若しくは凹部の平面形状としては、図示するような円形状が、高密度な配置、量産性に富み最も好ましいが、楕円形状、四角・矩形状、多角形状、それらの複合的な形状であっても良い。また、その配置は、これら形状に応じて、四角・矩形状，平行四辺形状，三角形状，六角形状（蜂の巣状）、などが適宜選択され、高密度な配置がなされる。これら構造物（突起・凹・溝の各部）の平面の大きさとしては、幅０．５〜５μｍ、好ましくは１〜３μｍであると、好適に製造できる。また、、構造部・突起部60が、発光構造から電気的に分離されている（図１，２，６の例）と、図３Ｂに示すように、第１電極が突起部形成領域にまで、延在して形成する（延在部31p-1）こともでき、第２層を離間させることができる。また、第１層による好適な光散乱作用、導光作用が得られ、第１層の接触面積増加によるＶｆ低減も可能となる。突起部に延在する第１層は、図に示すように、電極側の側面63、更には上面62に到達する形状とすることができる。
【００３７】
〔保護膜50〕
図１，２，３Ａなどに示すように、各電極の外部接続部33, 43を開口させた開口部51w, 52wを設けて、他の素子領域のほぼ全面を覆う保護膜が形成されていても良い。保護膜は、素子構造側を主光取り出し側とする際には、透光性材料で形成される。また、開口部の形状は、図１，２に示すように、電極（第２層）上面の一部が開口される形状であっても良く、図３Ａに示すように電極の下層側（透光性膜）を覆い、開口部内に、保護膜端部から離間して電極の上層側が設けられる形態でも良い。保護膜材料としては、従来知られたもの、例えば、珪素の酸化物・窒化物、アルミニウムの酸化物など、発光素子の光・波長に応じて、適宜透光性の良い材料を用いると良い。膜厚としては、０．１〜３μｍ程度、好ましくは、０．２〜０．６μｍ程度で形成される。また、素子領域外周域の保護膜端部は、図１に示すように、基板露出部10s（溝）と略同一に形成されても良く、図２示すように、該露出部10sから離間して、素子領域26の第１導電型層露出部22s上から素子内部を被覆するような形態でも良い。
【００３８】
（比較例）
上記実施形態１の具体例（図１）において、その第２層と同一幅・面積で第１層を設ける例、その第２層より小さい、例えば第２層外周から１μｍほど内側が外周となる、第１層を設ける例、と比較すると、上記実施形態１の具体例の方が、順方向電圧が低く、光出力が同程度若しくは僅かに向上する傾向が観られる。このことから、上記具体例の第１層と同等な大きさの第２層を設けると、順方向電圧はほぼ同等であるが、光出力が急激に低下するものとなると考えられる。このため、大電流注入の高出力域、大面積の発光素子では顕著に差が現れると考えられ、特に電力効率を低下させる要因になると考えられる。
また、上記具体例では、１００ｌｍ／Ｗ超の発光素子及び発光装置（図７Ｂに示す樹脂封止型のもの）が実現できるが、この比較例ではそれより低下し、１００未満となるものがある。
【００３９】
（実施形態２）
実施形態２としては、上記実施形態１の具体例（図１）のLED形状が略正方形であるのに比して、図２に示すように、LEDの大きさを４２０μｍ×２４０μｍとして、長方形状にする形態であり、実施形態１と同様に作製でき、図２Ａは、この発光素子の平面図の概略を、図２Ｂは２ＡのＡＡ切断面における断面図の概略を示すものである。
【００４０】
第１電極30の形成領域22eである発光構造25の凹欠部22aは、発光構造の隅部として、長手形状の発光素子の領域・発光構造に対して、長手方向の一方の端部側に設けられる。また、該長手方向を開口して、その他を囲むような外縁が発光構造で形成され、具体的には矩形状の電極形成領域の１辺が開口した外縁形状となっている。そのため、図１の例よりも発光構造25、突起部60と共に、大きな割合で電極外周を囲む。具体的には第１電極周囲の約８割の外周長を発光構造が囲み、突起部は外周全域を囲む形態となっている。このように、第１電極30の外縁が、発光構造25と突起部60とで異なる形状、外周長とすることもでき、突起部・光学的構造部の方が配置の自由度が高いため、外周長を発光構造に比して長くすること、更には、発光構造部の開口部に突起部を設けることができる。また、発光構造25が一部開口した電極形成領域22eであることで、光の閉じ込めが弱まり、光出力に寄与するため好ましく、他方、光学的構造部が開口部を塞ぎ、外周全域に設けられても、非発光部であるため、光出力・取り出し効率低減作用は小さく抑えられる。従って、この例では、光特性に優れた発光素子が得られる。
【００４１】
〔変形例〕
上記図２の変形例としては、図６に示すような、より細長い発光素子とすることもできる。外形寸法は５５０μｍ×１５０μｍで、長手形状の発光構造に対して、長手方向端部に外部接続部33を含む電極形成領域22eが設けられている。図１，２の例とは異なり、この電極形成領域22eは、電極を囲むような凹欠部とならずに一部発光構造が、長手方向で電極の側面一部に延在して設けられた形状となっている。さらに第１電極、第２電極は、それぞれ基点となる長手方向両端付近の外部接続部33,43から長手方向に延伸する延伸部34,44を有しており、互いの延伸部は発光構造を挟むように幅方向に対向して、並進するように設けられる。第１電極の延伸部は発光構造に隣接して設けられ、長手方向で第２電極の基点から離間する位置まで設けられ、第２電極延伸部も同様に第１電極の基点から離間する位置まで設けられている。尚、第１電極延伸部34が設けられている領域は、発光構造の幅が、他の領域、例えば外部接続部44との間の領域など延伸部34端部から長手方向外側の領域、の幅よりも狭く形成され、内側に凹んだ構造となっている。このように延伸部により、発光構造の長手方向への電流広がりを良好なものとできる。
【００４２】
この例では、図示するように、電極領域における第１層31の突出幅、すなわち、第2層32端部と第1層31端部との距離、が略同一で形成されている。このように、延伸部に応じて第2層も設けられると、発光構造、特にこの変形例のように幅が狭い長手形状の発光構造25、に対して、好適な電流広がりを実現できる。他方、発光構造の外部側面の一部を覆うように第１電極が設けられ、特に長手方向の側面に並設される延伸部34, 44が設けられると、発光構造25からの光を遮る作用が働くが、図示するように、幅の狭い・小面積で第2層が設けられることで、この作用を抑えることができる。更に、発光構造側の突出部をその反対側より幅広として発光構造から第２層をより離間させることで、効果を高めることができる。上述したように、延伸部34を有するような電極構造である場合に、外部接続部33に第2層32を設け、延伸部34に第2層を設けない形態、すなわち第１層より第２層の延伸長さを短くする形態、であると、電流広がりが低下、電圧上昇傾向にあるが、低電流域での使用では第1層31の延伸部が設けられているため、光取り出しに優れたものとできる。すなわち、第１，２層を有する外部接続部と、そこから延伸する第１層の延伸部で構成されることで、低電流域に優れた発光素子が得られる。
【００４３】
また、図２の例とは異なり、突起部60が、第１電極30と発光構造部25との間の領域に加えて、発光構造及び第１電極の外周部、すなわち、素子領域の外縁部の外周ほぼ全域に、突起部が設けられており、このような形態では、発光構造側面からの出射光を、基板面の法線方向に好適な指向性を持たせることができる。
【００４４】
この変形例について、本発明を検討するため、図６の例１と、その比較例として、下層31が無い例２、上層31の延伸部34が無く（下層31の延伸部が有り）、図中点線部33rで示す外部接続部だけの第２層とする例３について検討する。各例の発光素子は、図７Ｂのようなφ５mmの砲弾型の発光装置（青色）に搭載して評価すると、下表１の特性のものが得られる。ここで、半導体層、電極構造、各部の寸法は、上記実施形態１の具体例（□３２０μｍ）と同様である。
【００４５】
【表１】
2008034822.tif 000003
上表１から分かるように、例３のように下層だけで延伸部を構成する構造では、Vfが高くなり、また例２のように上層だけで延伸部・第１電極を構成する構造では、延伸部により電極面積、ひいては被覆面積の占有率が大きくなり、すなわち反射性の第２層による遮光効果が高くなることで出力が低下する。
【００４６】
一方、本発明に係る例１では、上層より断面幅広な下層により、上層の電極による遮光、光損失を低減して、上層から突出した下層突出部から光取り出しでき、延伸部によるVf低減、電流拡散・均一化の機能を備えて、その構造による弊害である遮光、光損失を低減して出力を向上させることができ、結果として、電力効率の高い発光素子が得られる。特に、延伸部のように、外部接続部などに比して幅狭な構造であると、図３Ｄに示すような光の屈折などの制御作用が好適に機能して、延伸部が設けられることによる光損失の増加を抑えることができる。特に図３Ｄに示すように、発光構造部側の突出部3aよりも、その対向側3e、特に素子外周側における光取り出し効果がより顕著となり、好適に素子外周側、すなわち素子外部へ光を取り出すことができる。
【００４７】
また、この例で示すように、発光構造の側面構成辺、特に素子外形構成辺の１辺において、その発光構造、素子の半分超の長さで延伸部を設ける構造では、その辺における遮光効果、例えば隣接する発光構造の側面発光、電極形成領域22eの露出面からの発光、に対する遮光効果が、大きくなる。これに対し、本発明では、その遮光効果を低減させることができるため、このような延伸部構造に、下層構造が好適に用いられる。特に、この例のように、長手形状の発光素子におけるその長手方向の構成辺でその長さの半分超である場合には、遮光効果がさらに大きくなるため、本発明の遮光効果低減作用が好適に機能する。この時、少なくとも、発光構造側33aに対向する側に突出部を有し、好ましくはその対向側が発光構造部から開口されたような素子外周側であること、さらに好ましくは、両側、すなわち発光構造部側とその対向側（素子外周側）に突出部を有することが好ましい。
【００４８】
（実施形態３）
図４に示す例では、発光構造25の内部に、電極形成領域22e及び第１電極30が２つ設けられた構造を有し、発光構造部25p間に第１電極が配置された発光構造を有している。従って、長手形状の発光構造部25A〜Bが、その幅方向に第1電極30（形成領域22e）と交互に配置された構造となっており、第１電極30は、幅広な外部接続部33, 43と、そこから長手方向に延伸する幅の狭い延伸部34, 44を有する構造となっている。これにより、長手形状の各発光構造部25A〜Bに対して、並設された第１電極30、主にその延伸部34を有する構造とでき、好適な電流広がり、発光を実現できる構造となっている。ここで、図４Ａは、発光素子の平面図の概略であり、図４Ｂは図４ＡのＡＡ断面図の概略である。ここでは、発光素子の外形寸法は、□1mm（1mm角）で、各電極の外部接続部など他の構造物の寸法は、素子の大きさに関わる発光構造及びそれに伴う延伸部を除いて、上記例と同様な寸法で形成できる。
【００４９】
この例では、上述の例（図１，２，６）とは異なり、電極形成領域22eが、外周全域を発光構造に囲まれた構造となっており、また、電極構造も外部接続部33を基点として2方向、この例では発光構造部25A-Bの長手方向両側の2方向、に延伸する延伸部34を有する構造となっている。また、第2電極40（その上層42）も同様に、各発光構造部の長手方向に延伸する延伸部44を、第１電極・その延伸部に、上記交互に配置される発光構造部25A-Bを挟んで対向して配置される。さらに、各発光構造部25A-Bは、その間に、長手方向両端で、幅方向に互いに連結する発光構造部を有し、その環状の発光構造に応じて、第２電40（第２層42）極延伸部も幅方向に延伸して（延伸部43C）、第１電極30を囲むように、四角形の環状の延伸部44が設けられている。ここで、第１，２電極の外部接続部34, 44は、長手方向に、両端の近傍に配置され、互いに対向して各電極の接続部が設けられ、第１電極の接続部は、３つの延伸部34A, 34Bの長手方向端部付近にそれぞれ設けられている。
この構造のように、各電極及びその延伸部若しくは外部接続部、発光構造部が複数設けられる発光素子構造でも本発明は好適に適用される。
【００５０】
（実施形態４）
図５の例では、実施形態３（図４）と同様に、延伸部及び発光構造部を複数有する構造であり、異なる点としては、実施形態３の構造部25Aに設けられた第２電極延伸部42Aと同様に、１つの延伸部34, 44が屈曲する様な形状、枝分かれる形状の構造を有し、更に、複数の発光構造部25A, Bに対して、各電極に１つの外部接続部34, 44が設けられた素子構造を有している。各電極30, 40の延伸部は、発光構造部25A, Bに並設される（２次）延伸部34B-2, 42B-2(42A-2)と、その２次延伸部まで配線し、各延伸部（発光構造部25A, B）間を配線する（１次）延伸部34B-1, 42-1と、を有する構造であり、外部接続部34, 44を基点として、それぞれ１次、２次延伸部を備えて、１つの外部接続部に接続されている。また、第１電極30の内側発光構造部25Aに挟まれた延伸部34Aは、１次延伸部だけで構成されている。
【００５１】
このため、実施形態３（第１電極）とは異なり、第１，２電極の延伸部34, 44、第１電極30及び第２電極上層42は互いに分離されず、互いに接続され、また、そのような配線を可能とするために、各電極が設けられる発光構造、第１導電型層露出領域も、互いに接続された構造となっている。また、実施形態２，３の例とは異なり、各発光構造部の長さが異なる構造となっているが、このような互いに接続された電極構造によりそれを補うことができ、好ましい。ここで、図５は、発光素子の平面図の概略である。また、発光素子の外形寸法は、□600μｍ（600μｍ角）であり、その他の寸法は、素子の大きさに関わる発光構造及びそれに伴う延伸部を除いて、他の実施形態とほぼ同様である。
【００５２】
この発光素子の例でも他の実施形態同様に、本発明の電極構造を好適に適用できる。特に、各延伸部は発光構造の内部深くにまで延伸しており、第１電極30の一部の延伸部(34B-2, 34A)における電極形成部22eは、一部が開口された凹欠部であっても、発光構造深部にまで設けられ、光閉じ込め作用が大きな形態となっているが、上記電極構造により、それを抑えて、好適な発光特性、電力効率をなし得る。図の例では、該凹欠部の一部延伸部は、突出部の長さ・幅は、ほぼ同一となって、上記他の形態と同様に第1，2層の幅中心をほぼ同一としている。また、上述したように電極各部において、第1，2層の幅中心を互いに変位させたり、突出部長さ・幅を相違させたり、また各部の間でこれらを互いに変位、異なるようにすることもできる。
【００５３】
（実施形態５）
以上の発光素子100を搭載する発光装置200について説明すると、図７Ａ，Ｂに示すように、実装用の基体・領域201の発光素子実装部173に発光素子100が載置された構造となる。実装基体として例えば、発光素子用、受光素子用のステム（図７Ｂの210）、平面実装用セラミック基板、プラスチック基板等が挙げられ、具体的な材料にはＡｌＮからなる実装基体、金属性の実装基体を用いると放熱性の高い発光装置を得ることができ好ましい。実装面173などに発光素子が載置され、光が到達する装置内部の表面、反射面203は、本発光装置の発光波長の光を反射する構造を有しても良い。反射金属には、Ａｇ、Ａｌ、Ｒｈ等が挙げられ、鍍金被膜など形成される。図４に示すように、装置の基体・筐体２２０の素子実装部173に接着層160を介して、第２の主面に反射層などのメタライズ層170、共晶ハンダ、接着層180を設けた半導体発光素子100を熱圧着などで実装する。そして、各電極210にワイヤ250などで、発光装置200のリード電極210(a,b)とそれぞれ接続して、発光素子を封止部材230で封止した構造を有している。尚、図中の符号122〜124、110は、上記発光素子の各層22〜23及び基板10に相当する。図７Ａでは発光装置200の基体220と、各電極リード210とを有し、その電極接続部にワイヤ250で電気的に接続され、更に、発光素子と共に封止する透光性の封止部材230、若しくは気密封止などにより封止された構造を有する。図７Ｂの例では、封止部材230が装置の基材を兼ねた構造となっている。封止部材としては、エポキシ樹脂、シリコーン樹脂、フッ素樹脂などの耐候性に優れた透明樹脂や硝子などが用いられ、接着部材180にはこれらの樹脂材料の他、共晶ハンダなどの半田，共晶材料、Ａｇペーストなどが用いられる。
また、図４，５の例では断面図に示すように、基板の半導体構造に対向する面側にメタライズ層として、反射層70が設けられている。図７の例では、更にその上に、接着層180が設けられている。
また、封止部材230中など、発光装置200の発光素子から装置の出射口、例えば図７のレンズ部、との間の光路上に、発光素子の光を少なくとも一部変換する光変換部材を有して、種々の発光色を得ることもできる。光変換部材としては、青色LEDの白色発光に好適に用いられるＹＡＧ系蛍光体、珪酸塩蛍光体、近紫外〜可視光を黄色〜赤色域に変換する窒化物蛍光体などが挙げられる。特に、高輝度且つ長時間の使用時においてはＹＡＧ・ＴＡＧなどのガーネット構造の蛍光体、例えば（Ｒｅ1-xＳｍx）3（Ａｌ1-yＧａy）5Ｏ12：Ｃｅ（０≦ｘ＜１、０≦ｙ≦１、但し、Ｒｅは、Ｙ，Ｇｄ,Ｌａ，Ｔｂなど、が好適に用いられる。窒化物系蛍光体、オキシナイトライド蛍光体としては、Ｓｒ−Ｃａ−Ｓｉ−Ｎ：Ｅｕ、Ｃａ−Ｓｉ−Ｎ：Ｅｕ、Ｓｒ−Ｓｉ−Ｎ：Ｅｕ、Ｓｒ−Ｃａ−Ｓｉ−Ｏ−Ｎ：Ｅｕ、Ｃａ−Ｓｉ−Ｏ−Ｎ：Ｅｕ、Ｓｒ−Ｓｉ−Ｏ−Ｎ：Ｅｕなどがあり、一般式ＬＸＳｉＹＮ（２／３Ｘ＋４／３Ｙ）：Ｅｕ若しくはＬＸＳｉＹＯＺＮ（２／３Ｘ＋４／３Ｙ−２／３Ｚ）：Ｅｕ（Ｌは、Ｓｒ、Ｃａ、ＳｒとＣａのいずれか。）で表される。また、これらの蛍光体、他の蛍光体などを適宜用いることにより、所望の発光色の発光装置とすることができる。
【図面の簡単な説明】
【００５４】
【図１Ａ】本発明の一実施形態に係る発光素子の平面概略図。
【図１Ｂ】図１ＡのＡＡ断面における断面概略図。
【図２Ａ】本発明の一実施形態に係る発光素子の平面概略図。
【図２Ｂ】図２ＡのＡＡ断面における断面概略図。
【図３Ａ】本発明の一実施形態に係る発光素子の断面概略図。
【図３Ｂ】本発明の一実施形態に係る発光素子の断面概略図。
【図４Ａ】本発明の一実施形態に係る発光素子の平面概略図。
【図４Ｂ】図４ＡのＡＡ断面における断面概略図。
【図５】本発明の一実施形態に係る発光素子の平面概略図。
【図６】本発明の一実施形態に係る発光素子の平面概略図。
【図７Ａ】本発明の一実施形態に係る発光装置の断面概略図。
【図７Ｂ】本発明の一実施形態に係る発光装置の断面概略図。
【符号の説明】
【００５５】
10：基板，10s：基板露出表面、20：半導体構造・積層構造，21：下地層，22：第1導電型層（n型層）（22s：第1導電型層，22a：凹欠部，22e：電極形成領域），23：活性層（発光層），24：第2導電型層（ｐ型層）、25：発光構造（25p：構造部，25s：発光構造側面（電極側））、26：素子構造・領域、30：第１電極，31：第１層（31p：突出部、31a：発光構造側、31e：その反対側），32：第２層，33：外部接続部，34：延伸部、40：第２電極，41：下層側（オーミック電極（透光性）），42：パッド電極（上層），43：外部接続部，44：延伸部、50：保護膜（51w, 52w：開口部）、60：突起部，61：電極側の側面，62：上面，63：発光構造側の側面
【図１Ａ】
2008034822.tif 000004
【図１Ｂ】
2008034822.tif 000005
【図２Ａ】
2008034822.tif 000006
【図２Ｂ】
2008034822.tif 000007
【図３Ａ】
2008034822.tif 000008
【図３Ｂ】
2008034822.tif 000009
【図４Ａ】
2008034822.tif 000010
【図４Ｂ】
2008034822.tif 000011
【図５】
2008034822.tif 000012
【図６】
2008034822.tif 000013
【図７Ａ】
2008034822.tif 000014
【図７Ｂ】
2008034822.tif 000015